(57)【要約】【課題】このような問題点に着目してなされたもので、一対の流体管の内カバー体に対する離脱方向及び挿入方向の移動を拘束しつつ、使用者が大きな力を要さずとも流体管同士の密封性を維持することができる管継手を提供すること。【解決手段】内カバー体４及び両突条１ｂ，１ｂを外方から被覆することで、各突条１ｂ，１ｂを係止部５ｃと内カバー体４との間に配置する外カバー体５と、を備え、一対の流体管１，１の内カバー体４に対する挿入方向と離脱方向への移動を拘束する。【選択図】図２
2012036936.tif 000002
【特許請求の範囲】
【請求項１】
外周面に突条を有し互いに対向して配設される一対の流体管と、該一対の流体管の先端部が挿入されることで管軸方向の両外側端部が両前記突条間で両該突条に近接して配置される環状の内カバー体と、該内カバー体の内周面の全周に亘って設けられ、前記一対の流体管が前記内カバー体内に挿入されることで該内カバー体の内周面と各前記流体管の外周面との間を水密に密封する弾性変形可能な止水部材と、管軸方向の両外側部に前記管軸に向けて突出する係止部を有し、前記内カバー体及び両前記突条を外方から被覆することで、各前記突条を前記係止部と前記内カバー体との間に配置する外カバー体と、を備え、前記一対の流体管の前記内カバー体に対する挿入方向と離脱方向への移動を拘束することを特徴とする管継手。
【請求項２】
前記一対の流体管の先端部は、該先端部に向けて漸次縮径するテーパー状に形成されていることを特徴とする請求項１に記載の管継手。
【請求項３】
前記外カバー体は径方向への分割構造を有しており、該分割された外カバーは、前記内カバー体に管軸方向を向く枢軸によって回動可能に枢支されていることを特徴とする請求項１または２に記載の管継手。
【発明の詳細な説明】
【技術分野】
【０００１】
本発明は、対向する一対の流体管間を水密に接続する管継手に関する。
【背景技術】
【０００２】
従来の管継手は、環状の弾性密封パッキン（止水部材）と、環状に形成されるとともに径方向に分割構造を有する連結リング（外カバー体）を備えており、外周に凸条が一体に形成された一対の筒状アダプタ（流体管）を互いの先端部を突き合わせた状態で弾性密封パッキンによって被着した後に連結リングによって弾性水密パッキンを被覆することで、両凸条を連結リングの内周面に形成された係合溝に収納するとともに、連結リングをボルト及びナットによって緊締することで弾性密封パッキンを両筒状アダプタの先端部の外周面に密着させ、両筒状アダプタと連結リングとの離脱方向及び挿入方向の相対移動を防止しつつ、筒状アダプタ同士を密封性能を有した状態で接続している（例えば、特許文献１参照）。
【先行技術文献】
【特許文献】
【０００３】
【特許文献１】特開２００１−６５７５８号公報（第２頁、第３図）
【発明の概要】
【発明が解決しようとする課題】
【０００４】
しかしながら、特許文献１に記載の管継手にあっては、筒状アダプタ（流体管）同士を密封性能を有して接続するためには、使用者が連結リングをボルト及びナットによって強力に緊締しなければならないばかりか、凸条を係合溝に収納するために両筒状アダプタに対して連結リングを位置合わせしなければならないという問題がある。
【０００５】
本発明は、このような問題点に着目してなされたもので、一対の流体管の内カバー体に対する離脱方向及び挿入方向の移動を容易に拘束しつつ、使用者が大きな力を要さずとも流体管同士の密封性を維持することができる管継手を提供することを目的とする。
【課題を解決するための手段】
【０００６】
前記課題を解決するために、本発明の管継手は、
外周面に突条を有し互いに対向して配設される一対の流体管と、該一対の流体管の先端部が挿入されることで管軸方向の両外側端部が両前記突条間で両該突条に近接して配置される環状の内カバー体と、該内カバー体の内周面の全周に亘って設けられ、前記一対の流体管が前記内カバー体内に挿入されることで該内カバー体の内周面と各前記流体管の外周面との間を水密に密封する弾性変形可能な止水部材と、管軸方向の両外側部に前記管軸に向けて突出する係止部を有し、前記内カバー体及び両前記突条を外方から被覆することで、各前記突条を前記係止部と前記内カバー体との間に配置する外カバー体と、を備え、前記一対の流体管の前記内カバー体に対する挿入方向と離脱方向への移動を拘束することを特徴としている。
この特徴によれば、内カバー体の内周面と流体管の外周面との間で生じる止水部材の復元力のみで内カバー体の内周面と流体管の外周面との間を水密に密封することができるとともに、流体管を内カバー体内に挿入する際に内カバー体の管軸方向の両外側端部に突条を近接配置させて内カバー体を外カバー体によって被覆することで、に突条を容易に内カバー体と係止部との間に配置させることができ、流体管と内カバー体とに離脱方向及び挿入方向の相対移動が生じても、突条が流体管の内カバー体からの離脱方向側で係止部に当接するばかりか、突条が流体管の内カバー体への挿入方向側で内カバー体に当接するので、流体管と内カバー体との離脱方向及び挿入方向の相対移動を阻止することができる。
【０００７】
本発明の管継手は、
前記一対の流体管の先端部は、該先端部に向けて漸次縮径するテーパー状に形成されていることを特徴としている。
この特徴によれば、流体管の先端部が内カバー体内に挿入する際、テーパー状に形成された流体管の先端部が止水部材を弾性変形させながら内カバー体内に挿入していくので、流体管の先端部の内カバー体内への挿入と、止水部材による内カバー体の内周面と流体管の外周面との間の水密な密封をスムーズに行うことができる。
【０００８】
本発明の管継手は、
前記外カバー体は径方向への分割構造を有しており、該分割された外カバーは、前記内カバー体に管軸方向を向く枢軸によって回動可能に枢支されていることを特徴としている。
この特徴によれば、内カバー体に一対の流体管を挿入した後、分割された外カバー体を内カバー体に位置合わせ等を行わずとも、枢軸に対して回動させるだけで分割された外カバー体が流体管と干渉せずに容易に内カバー体を被覆することができる。
【図面の簡単な説明】
【０００９】
【図１】実施例における管継手を示す平面図である。
【図２】図１におけるＡ−Ａ断面図である。
【図３】接続体の正面図である。
【図４】管継手の分解平面図である。
【図５】変形例としての接続体を示す正面図である。
【発明を実施するための形態】
【００１０】
本発明に係る管継手を実施するための形態を実施例に基づいて以下に説明する。
【実施例】
【００１１】
実施例に係る管継手につき、図１から図５を参照して説明する。以下、図３の紙面手前側を接続体の正面側として説明する。図１に示すように、本実施例における流体管１，１は、例えば、上水道管の工事に際してバイパス用に設けられる樹脂材等により構成された仮設の流体管であって、両流体管１，１の先端部は、接続体２によって水密に接続されている。
【００１２】
これら流体管１，１は、図２及び図４に示すように、管軸Ｃ方向で先端部同士を対向させて配設されている。以下、流体管１，１は同一構成につき、一方の流体管１の構成のみを説明する。流体管１の先端部の外周面１ａには、流体管１の全周に亘って流体管１の拡径方向に突出する突条１ｂが形成されている。また、流体管１におけるこの突条１ｂよりも管端面１ｃ側には、流体管１の管端面１ｃに向けて漸次縮径するテーパー部１ｄに形成されている。
【００１３】
接続体２は、図２及び図３に示すように、正面視で環状に形成された内カバー体４と、内カバー体４を外方から被覆するための外カバー体５と、を備えている。このうち、内カバー体４は、内径が流体管１の外形よりも僅かに大径に形成されているとともに、管軸Ｃ方向側の幅寸法は、管軸Ｃ方向側の両外側端部側から両流体管１，１の先端部を対向させて挿入可能な寸法に形成されている。
【００１４】
内カバー体４の内周面４ａにおける管軸Ｃ方向の両端部近傍には、内周面４ａの略全周に亘って収納溝４ｂ，４ｂが形成されており、これら収納溝４ｂ，４ｂ内には、ゴム等により構成された止水部材３，３が収納溝４ｂ，４ｂの全種に亘って収納配置されている。尚、収納溝４ｂ，４ｂに収納された止水部材３，３の内径側端部は、内カバー体４の内周面４ａよりも管軸Ｃに向けて突出している。また、内カバー体４の外周面の一部からは、後述する第１カバー部５ａ及び第２カバー部５ｂを本発明における枢軸としてのボルト６によって枢支するための枢支片４ｃが突出して形成されている。
【００１５】
一方、外カバー体５は、図２、図３及び図４に示すように、正面視で略半円形状をなす第１カバー部５ａ及び第２カバー部５ｂとから構成される分割構造を有している。これら第１カバー部５ａ及び第２カバー部５ｂは、内径が流体管１，１が管軸Ｃ方向の両側から対向して挿入された内カバー体４を被覆するために、内カバー体４の外径よりも僅かに大径に形成されているとともに、管軸Ｃ方向側の幅寸法が内カバー体４の管軸Ｃ方向側の幅寸法よりも長寸に形成されている。
【００１６】
第１カバー部５ａ及び第２カバー部５ｂの管軸Ｃ方向側の両外側端部には、第１カバー部５ａ及び第２カバー部５ｂの周方向の略全長にわたって係止部５ｃが管軸Ｃに向けて突出して形成されている。
【００１７】
第１カバー部５ａ及び第２カバー部５ｂの周方向側の一側端部には、ボルトナット７によって互いを緊締するためのフランジ５ｄ，５ｄが形成されており、周方向側の他側端部には、第１カバー体及び第２カバー部５ｂを内カバー体４に枢支するための枢支片５ｅが形成されている。そして、図１及び図３に示すように、これら枢支片５ｅ，５ｅを管軸Ｃ方向の両側から内カバー体４の枢支片４ｃを挟むように配置するとともに、枢支片５ｅ，４ｃ，５ｅに管軸Ｃ方向を向くボルト６を挿通させることで、第１カバー部５ａ及び第２カバー部５ｂが内カバー体４に対してボルト６周りに回動可能に枢支される。
【００１８】
次に、上述のように構成された接続体２による流体管１，１の接続について説明する。先ず、図２及び図４に示すように、両流体管１，１を管軸Ｃ方向で対向配置するとともに、両流体管１，１の管端面１ｃ，１ｃ間に内カバー体４が露出した状態の接続体２を配置する。
【００１９】
そして、両流体管１，１と内カバー体４とを管軸Ｃ上に軸合わせした後、内カバー体４に管軸Ｃ方向側の両外側端部側から両流体管１，１の先端部を挿入し、各突条１ｂ，１ｂが内カバー体４の管軸Ｃ方向側の両外側端部に当接することで後述する内カバー体４と各突条１ｂ，１ｂとを外カバー体５によって被覆する際の突条１ｂ，１ｂの位置決めが容易に行われ、両流体管１，１の内カバー体４内への挿入を終了する。尚、内カバー体４内へ挿入された両流体管１，１の管端面１ｃ，１ｃ同士は、所定の長さＲだけ離間して配置される。
【００２０】
このとき、両流体管１，１は、内カバー体４内に挿入していく過程で、先端部に形成したテーパー部１ｄ，１ｄによって止水部材３，３を内カバー体４の内周面４ａに向けて押圧する。このため、各止水部材３，３は、内カバー体４の内周面４ａと流体管１の外周面１ａとの間で弾性変形し、内カバー体４の内周面４ａと流体管１，１の外周面１ａ，１ａとの間を水密に密封する。
【００２１】
次に、第１カバー部５ａ及び第２カバー部５ｂをボルト６回りに回動させ、内カバー体４を被覆するとともにフランジ５ｄ，５ｄをボルトナット７によって緊締する。このとき、第１カバー部５ａ及び第２カバー部５ｂに設けられた各係止部５ｃは、各突条１ｂ，１ｂの管軸Ｃ方向両外側方に配置される。このため、各突条１ｂ，１ｂは、係止部５ｃと内カバー体４との間で管軸Ｃ方向に離脱不能に保持される。
【００２２】
つまり、両流体管１，１及び接続体２に地震等の外力あるいは流体による不平均力が加わることにより、流体管１が内カバー体４内に更に挿入する方向（挿入方向）に相対移動しようとすると、突条１ｂが内カバー体４の管軸Ｃ方向側の外側端部に当接することで流体管１の内カバー体４内に更に挿入する方向への相対移動が阻止され、管端面１ｃ，１ｃ同士の離間距離Ｒが維持される。このため、管端面１ｃ，１ｃ同士が衝突することで両流体管１，１が破損してしまうことを防止できる。
【００２３】
同様に、両流体管１，１及び接続体２に地震等の外力あるいは流体による不平均力が加わることにより、流体管１が内カバー体４内から離脱する方向（離脱方向）に相対移動しようとすると、突条１ｂが係止部５ｃに当接することで流体管１の内カバー体４内から離脱する方向への相対移動が阻止される。
【００２４】
更に、両止水部材３，３は、内カバー体４、外カバー体５及び両突条１ｂによって周方向及び管軸Ｃ方向から可視光が差し込まないよう被覆されるので、両止水部材３，３は、その材質の劣化を促進させる紫外線から完全に遮断され、内カバー体４の内周面４ａと両流体管１，１の外周面１ａ，１ａとの間の密封性能の低下を防ぐことができる。
【００２５】
尚、本実施例における各突条１ｂ，１ｂは、係止部５ｃと内カバー体４との間で管軸Ｃ方向にほぼ間隙なく離脱不能に保持するが、各突条１ｂ，１ｂを保持するための内カバー体４と両係止部５ｃ，５ｃ間の幅は、流体管１が内カバー体４内に更に挿入する方向（挿入方向）に相対移動しようとする際に管端面１ｃ，１ｃ同士が衝突しない範囲、且つ流体管１が内カバー体４内から離脱する方向（離脱方向）に相対移動しようとする際に止水部材３，３による内カバー体４の内周面４ａと流体管１，１の外周面１ａ，１ａとの間を水密が解除されない範囲であれば突条１ｂ，１ｂの管軸Ｃ方向の幅寸法よりも長寸となるように形成してもよい。
【００２６】
以上、本実施例における管継手にあっては、外周面１ａに突条１ｂを有し互いに対向して配設される一対の流体管１，１と、一対の流体管１，１の先端部が挿入されることで管軸Ｃ方向の両外側端部が両突条１ｂ，１ｂ間で両突条１ｂ，１ｂに近接して配置される環状の内カバー体４と、内カバー体４の内周面４ａの全周に亘って設けられ、一対の流体管１，１が内カバー体４内に挿入されることで内カバー体４の内周面４ａと各流体管１，１の外周面１ａ，１ａとの間を水密に密封する弾性変形可能な止水部材３，３と、管軸Ｃ方向の両外側部に管軸Ｃに向けて突出する係止部５ｃを有し、内カバー体４及び両突条１ｂ，１ｂを外方から被覆することで、各突条１ｂ，１ｂを係止部５ｃと内カバー体４との間に配置する外カバー体５と、を備え、一対の流体管１，１の内カバー体４に対する挿入方向と離脱方向への移動を拘束することで、内カバー体４の内周面４ａと流体管１の外周面１ａとの間で生じる止水部材３の復元力のみで内カバー体４の内周面４ａと流体管１の外周面１ａとの間を水密に密封することができるとともに、流体管１，１を内カバー体４内に挿入する際に内カバー体４の管軸Ｃ方向の両外側端部に突条１ｂ，１ｂを近接配置させて内カバー体４を外カバー体５によって被覆することで、突条１ｂ，１ｂを容易に内カバー体４と係止部５ｃ，５ｃとの間に配置させることができ、流体管１と内カバー体４とに離脱方向及び挿入方向の相対移動が生じても、突条１ｂが流体管１の内カバー体４からの離脱方向側で係止部５ｃに当接するばかりか、突条１ｂが流体管１の内カバー体４への挿入方向側で内カバー体４に当接するので、流体管１と内カバー体４との離脱方向及び挿入方向の相対移動を阻止することができる。
【００２７】
また、一対の流体管１，１の先端部は、先端部に向けて漸次縮径するテーパー部１ｄに形成されているので、流体管１の先端部が内カバー体４内に挿入する際、テーパー部１ｄに形成された流体管１の先端部が止水部材３を弾性変形させながら内カバー体４内に挿入していくので、流体管１の先端部の内カバー体４内への挿入と、止水部材３による内カバー体４の内周面４ａと流体管１の外周面１ａとの間の水密な密封をスムーズに行うことができる。
【００２８】
また、外カバー体５は径方向への分割構造を有しており、分割された第１カバー部５ａ及び第２カバー部５ｂは、内カバー体４に管軸Ｃ方向を向くボルト６によって回動可能に枢支されているので、内カバー体４に一対の流体管１，１を挿入した後、第１カバー部５ａ及び第２カバー部５ｂを内カバー体４に位置合わせ等を行わずとも、ボルト６に対して回動させるだけで分割された外カバー体が流体管と干渉せずに容易に内カバー体を被覆することができる。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、外カバー体５を第１カバー部５ａと第２カバー部５ｂとの分割構成とし、これら第１カバー部と第２カバー部５ｂとを内カバー体４に管軸Ｃ方向を向くボルト６によって内カバー体４に枢支し、両流体管１，１の先端部が内カバー体４に挿入された後に第１カバー部５ａと第２カバー部５ｂとを回動させてフランジ５ｄ，５ｄをボルトナット７で緊締したが、例えば、本発明の変形例として、図５に示すように、第１カバー部５ａと第２カバー部５ｂとに、それぞれ周方向の両端部にフランジ５ｄ，５ｄを形成し、両流体管１，１の先端部が内カバー体４に挿入された後に第１カバー部５ａと第２カバー部５ｂとを内カバー体４の上方と下方から内カバー体４を被覆するように取り付け、両フランジ５ｄ，５ｄをボルトナット７で緊締するようにしてもよい。
【００３１】
また、前記実施例では、外カバー体５を第１カバー部５ａと第２カバー部５ｂとの分割構成とし、これら第１カバー部と第２カバー部５ｂとを内カバー体４に管軸Ｃ方向を向くボルト６によって内カバー体４に枢支し、両流体管１，１の先端部が内カバー体４に挿入された後に第１カバー部５ａと第２カバー部５ｂとを回動させてフランジ５ｄ，５ｄをボルトナット７で緊締したが、フランジ５ｄ，５ｄを緊締する手段はボルトナット７に限らず、クリップ等を用いてもよい。
【００３２】
また、前記実施例では、両流体管１，１と上水道用の仮設の流体管として説明したが、流体管１，１内を流れる流体は上水の他、石油等の水以外の液体でもよく、また、液体とガス等の混合物であってもよい。
【符号の説明】
【００３３】
１                流体管
１ａ              外周面
１ｂ              突条
１ｄ              テーパー部
２                接続体
３                止水部材
４                内カバー体
４ａ              内周面
５                外カバー体
５ａ              第１カバー部
５ｂ              第２カバー部
５ｃ              係止部
６                ボルト（枢軸）
【図１】
2012036936.tif 000003
【図２】
2012036936.tif 000004
【図３】
2012036936.tif 000005
【図４】
2012036936.tif 000006
【図５】
2012036936.tif 000007